(57)【特許請求の範囲】
【請求項１】
スタンドの柱状のポールに取り付け固定される音響機器であって、
前記ポールの先端が突き当たる突き当て部と、
締め込みまたは緩め操作により回動軸を中心に回動するよう構成され、前記ポールの先端が前記突き当て部に突き当たっている状態で締め込み方向に回動操作されることで、前記ポールの側部を前記ポールの軸中心の方向に押圧面で押圧する押圧手段と、
前記押圧手段の前記押圧面に対して前記ポールの前記軸中心を挟んで反対側に設けられ、前記押圧面により押圧される前記ポールを、前記ポールの軸方向視において前記押圧面と前記軸中心とを通る直線を挟んだ両側の少なくとも２箇所で受ける受け部とを有し、
前記押圧手段は、締め込み方向に回動操作されるにつれて、前記ポールの側部を押圧する前記押圧面の位置が前記ポールの前記軸中心に徐々に近づいて押圧力が増すように構成されたことを特徴とする音響機器。
【請求項２】
前記ポールの前記軸中心を中心とした円周方向において前記受け部よりも前記押圧面に近い位置に設けられ、前記押圧手段を緩めた状態で前記突き当て部に突き当たっている前記ポールを前記受け部と協働して囲む仮受け部を有することを特徴とする請求項１記載の音響機器。
【請求項３】
前記ポールが挿入可能で前記突き当て部を穴底に有する挿入穴を有し、前記挿入穴の一部に形成された切り欠き部から前記押圧面が前記挿入穴の内側に臨むと共に、前記挿入穴の内面が前記受け部及び前記仮受け部の機能を果たすように構成されたことを特徴とする請求項２記載の音響機器。
【請求項４】
前記挿入穴の内面には、円周方向に凹凸が形成され、そのうち凸部が前記受け部及び前記仮受け部の機能を果たすことを特徴とする請求項３記載の音響機器。
【請求項５】
前記押圧手段の締め込み方向の回動行程において、前記ポールの側部を押圧する前記押圧面の位置が途中から一定となることを特徴とする請求項１〜４のいずれか１項に記載の音響機器。
【請求項６】
前記押圧手段の前記回動軸は、前記ポールの軸方向に略垂直であることを特徴とする請求項１〜５のいずれか１項に記載の音響機器。
【請求項７】
前記押圧手段は当該音響機器の底部に配設されると共に被操作部を有し、前記底部には、前記押圧手段を緩めた状態で前記被操作部を維持するための維持手段が設けられたことを特徴とする請求項６記載の音響機器。
【発明の詳細な説明】
【技術分野】
【０００１】
本発明は、スタンドのポールに取り付け固定されるスピーカ等の音響機器に関する。
【背景技術】
【０００２】
従来、スピーカやミキサ装置等の音響機器であってスタンドのポールに取り付け固定されるものが知られている。例えば、特許文献１では、スタンドの円柱状のポールの先端にブラケット部を設け、ブラケット部の台座に設けた２つのブラケットネジを音響機器に螺合するようにしている。ブラケット部はポールの先端に蝶ネジで固定される（図８）。
【先行技術文献】
【特許文献】
【０００３】
【特許文献１】特許第４４９６９０４号公報
【発明の概要】
【発明が解決しようとする課題】
【０００４】
しかしながら、上記特許文献１のような取り付け構造においては、スタンドのポールにまずブラケット部を取り付ける必要があり、しかも、ブラケット部と音響機器とを２箇所でねじ止めするので、作業性が良くないという問題があった。
【０００５】
本発明は上記従来技術の問題を解決するためになされたものであり、その目的は、音響機器のスタンドへの取り付け作業を容易にすることができる音響機器を提供することにある。
【課題を解決するための手段】
【０００６】
上記目的を達成するために本発明の請求項１の音響機器は、スタンドの柱状のポール（１２）に取り付け固定される音響機器（１０）であって、前記ポールの先端が突き当たる突き当て部（２３、２４）と、締め込みまたは緩め操作により回動軸（４３）を中心に回動するよう構成され、前記ポールの先端が前記突き当て部に突き当たっている状態で締め込み方向に回動操作されることで、前記ポールの側部を前記ポールの軸中心（Ｃ）の方向に押圧面（４１ａ）で押圧する押圧手段（４０）と、前記押圧手段の前記押圧面に対して前記ポールの前記軸中心を挟んで反対側に設けられ、前記押圧面により押圧される前記ポールを、前記ポールの軸方向視において前記押圧面と前記軸中心とを通る直線（Ｌ１）を挟んだ両側の少なくとも２箇所で受ける受け部（２２Ｃ〜２２Ｆ、２６、６１、６２）とを有し、前記押圧手段は、締め込み方向に回動操作されるにつれて、前記ポールの側部を押圧する前記押圧面の位置（Ｐ）が前記ポールの前記軸中心に徐々に近づいて押圧力が増すように構成されたことを特徴とする。
【０００７】
好ましくは、前記ポールの前記軸中心を中心とした円周方向において前記受け部よりも前記押圧面に近い位置に設けられ、前記押圧手段を緩めた状態で前記突き当て部に突き当たっている前記ポールを前記受け部と協働して囲む仮受け部（２２Ａ、２２Ｈ、２７、２８）を有する（請求項２）。
【０００８】
好ましくは、前記ポールが挿入可能で前記突き当て部を穴底に有する挿入穴（２０）を有し、前記挿入穴の一部に形成された切り欠き部（２５）から前記押圧面が前記挿入穴の内側に臨むと共に、前記挿入穴の内面が前記受け部及び前記仮受け部の機能を果たすように構成される（請求項３）。好ましくは、前記挿入穴の内面には、円周方向に凹凸（２１、２２）が形成され、そのうち凸部が前記受け部及び前記仮受け部の機能を果たす（請求項４）。
【０００９】
好ましくは、前記押圧手段の締め込み方向の回動行程において、前記ポールの側部を押圧する前記押圧面の位置が途中から一定となる（請求項５）。好ましくは、前記押圧手段の前記回動軸は、前記ポールの軸方向に略垂直である（請求項６）。好ましくは、前記押圧手段は当該音響機器の底部（１５）に配設されると共に被操作部（４２）を有し、前記底部には、前記押圧手段を緩めた状態で前記被操作部を維持するための維持手段（３３、３４）が設けられる（請求項７）。
【００１０】
なお、上記括弧内の符号は例示である。
【発明の効果】
【００１１】
本発明の請求項１によれば、音響機器のスタンドへの取り付け作業を容易にすることができる。
【００１２】
請求項２によれば、ポールへの仮装着状態が安定し、取り付け作業を一層容易にすることができる。
【００１３】
請求項３、４によれば、構成が簡単になる。
【００１４】
請求項５によれば、締め込み終了時における押圧力を一定にし、固定状態を安定させることができる。
【００１５】
請求項６によれば、押圧状態を適切にすることができる。
【００１６】
請求項７によれば、緩め状態において押圧手段がぐらつくことを防止することができる。
【図面の簡単な説明】
【００１７】
【図１】本発明の一実施の形態に係る音響機器が適用されるスピーカセットの使用状態の一例を示す図（図（ａ））、フロントカバーを外した状態のスピーカ装置の筐体下部の前側からの斜視図（図（ｂ））である。
【図２】取り付け機構部の一部を構成するサポート蓋、押圧手段であるレバーの斜視図（図（ａ）、（ｂ））、スピーカ装置を下側から見た斜視図にサポート蓋及びレバーを併せて示した図（図（ｃ））である。
【図３】挿入穴及びレバー配設部の拡大斜視図である。
【図４】図２（ｃ）のＡ−Ａ線に沿う断面図である。
【図５】取り付け機構部の変形例を示す図である。
【発明を実施するための形態】
【００１８】
以下、本発明の実施の形態を図面を参照して説明する。
【００１９】
図１（ａ）は、本発明の一実施の形態に係る音響機器が適用されるスピーカセットの使用状態の一例を示す図である。本実施の形態では、スタンド１１の円柱状のポール１２に音響機器が取り付け固定される構造を説明する。音響機器として左右一対のスピーカ装置１０、１０を例示するが、ミキサ装置等、各種の音響機器に本発明を適用可能である。
【００２０】
電子鍵盤楽器ＫＢがミキサ装置１３に接続され、ミキサ装置１３にスピーカ装置１０が接続されている。ミキサ装置１３は、不使用状態ではスピーカ装置１０の裏面凹部Ｓ１に装着収納可能である。スピーカ装置１０は、聴衆側に前側を向けて配置される。電子鍵盤楽器ＫＢでの演奏によるオーディオ信号はミキサ装置１３でミキシングされ、２チャンネルの左右の信号がスピーカ装置１０、１０にそれぞれ供給され、発音される。左右のスピーカ装置１０のポール１２の先端への取り付け構造については同様であるので、以下では、必要ない限り左右の区別をしない。また、以降、スピーカ装置１０の方向について、聴衆側を前側とし、左右方向については奏者から見て呼称し、上下方向についてはポール１２の先端に取りついた状態を基準とする。
【００２１】
図１（ｂ）は、フロントカバーを外した状態のスピーカ装置１０の筐体下部の前側からの斜視図である。スピーカ装置１０は、樹脂等で構成される筐体１４にフロントカバー９（図１（ａ））が固着されてなる。筐体１４の下部の底板１５において上方に盛り上がった部分の下側に取り付け機構部Ｍが構成され、この取り付け機構部Ｍの一部として、後述する挿入穴２０やレバー配設部３０が構成される。
【００２２】
筐体１４には、取り付け機構部Ｍに連接して取付ボス１７及びリブ１８が一体に形成されている。リブ１８は取付ボス１７の補強を兼ねている（図４も参照）。また、左右に壁部に取付ボス１９がそれぞれ一体に形成されている。ねじ取付部であるこれら取付ボス１７、１９、１９のねじ穴を用いて上記のフロントカバー９が螺着固定される。
【００２３】
図２（ａ）、（ｂ）は、取り付け機構部Ｍの一部を構成するサポート蓋、押圧手段であるレバーの斜視図である。図２（ｃ）は、スピーカ装置１０を下側から見た斜視図にサポート蓋５０及びレバー４０を併せて示した図である。
【００２４】
図２（ｃ）に示すように、底板１５には、４カ所に脚部１６が突出して形成される。底板１５は斜めに形成されるが、脚部１６の脚底である先端１６ａは、接地時に筐体１４の側面１４ａが垂直になるように４つとも面一に形成されている。また、底板１５の中央付近において、取り付け機構部Ｍの一部として挿入穴２０及びレバー配設部３０が連接して底板１５と一体に形成される。レバー配設部３０には、緩め状態のレバー４０が収容される収容凹部３６が形成される。サポート蓋５０及びレバー４０はレバー配設部３０に配設される。
【００２５】
図２（ｂ）に示すように、レバー４０は、頭部４１から被操作部４２が延設されてなり、頭部４１には、回動軸４３が両側に突出している（片側のみ図示）。頭部４１の外周面は、スタンド１１のポール１２の側部を押圧する押圧面４１ａとなる。押圧面４１ａは、回動軸４３の回転方向にはほぼ円形（厳密には後述）で、回動軸４３の軸線方向に対しては凹状に湾曲しており、いわゆる鞍形に形成される。
【００２６】
図２（ａ）に示すように、サポート蓋５０は、２つの締結穴５２が形成された板部５１を有し、板部５１から２枚の突設片５３が突設形成される。突設片５３の先端は回動軸４３を軸支する役割の一部を果たす凹曲面５３ａとなっている。
【００２７】
図３は、挿入穴２０及びレバー配設部３０の拡大斜視図である。図４は、図２（ｃ）のＡ−Ａ線に沿う断面図であり、挿入穴２０の中心を通り上下方向及び前後方向に平行な断面を示している。図４ではスピーカ装置１０は天地逆となっている。
【００２８】
図３、図４に示すように、スタンド１１のポール１２の軸中心Ｃ（図４）は鉛直方向に平行である。挿入穴２０は、挿入されるポール１２の外形よりも若干大きい内径を有している。厳密には、円周方向に凹部２１と凸部２２による交互に凹凸が内面に形成されており、複数の凸部２２の内面で形成される内径が挿入穴２０の実質的な内径となる。挿入穴２０の一部には切り欠き部２５が形成されている。挿入穴２０の穴底に相当する部分に平坦な底面２３が形成され、底面２３と凹部２１とに連接してテーパ面２４が形成されている。
【００２９】
切り欠き部２５が形成されていない領域において、凸部２２は、円周方向に、２２Ａ〜２２Ｈの８個が配置されている。切り欠き部２５の上方（図４でいう下方）にも凸部２２と同様のものは形成されているが、それらは設けなくてもよい。軸中心Ｃを挟んで切り欠き部２５の反対側において、図２のＡ−Ａ線に沿う断面上には凹部２１、特に凹部２１ｘが位置する。
【００３０】
レバー配設部３０は、挿入穴２０の後ろ側において挿入穴２０の切り欠き部２５に近接して設けられる。図３に示すように、レバー配設部３０において、レバー４０の回動軸４３が嵌入されるＵ字溝３１、３２が形成される。Ｕ字溝３１、３２の左右両側には締結用のねじ穴３５が形成されている。挿入穴２０の後方に、一対の突設片でなる把持部３３、３４が設けられている。また、図４に示すように、レバー４０の頭部４１には、断面円形の突設ピン４４が一体に形成されており、把持部３３、３４は突設ピン４４を挟持できるようになっている。把持部３３、３４の互いの対向面には、突設ピン４４に合わせた凹曲面が形成されている。
【００３１】
レバー４０、サポート蓋５０は、スピーカ装置１０がポール１２に取り付けられる前の段階でスピーカ装置１０に組み付けられる。レバー４０及びサポート蓋５０は、レバー配設部３０に次のようにして配設される。その際、スピーカ装置１０の天地を逆にして底板１５の下面を上側に露出させると配設作業がやりやすい。
【００３２】
まず、レバー４０の２つの回動軸４３をＵ字溝３１、３２に挿入する。その際、レバー４０の突設ピン４４を把持部３３、３４間に把持させる。次に、サポート蓋５０の突設片５３の先端である凹曲面５３ａを回動軸４３に対向させるようにサポート蓋５０をレバー４０に被せる（図２（ｃ）、図４参照）。そして、サポート蓋５０の２つの締結穴５２を介してビス５４（図２（ｃ）参照）をねじ穴３５（図３）に螺合する。
【００３３】
これにより、レバー４０及びサポート蓋５０が底板１５のレバー配設部３０に固定される。また、レバー４０については、２つの回動軸４３が、突設片５３の凹曲面５３ａとＵ字溝３１、３２との間に挟まれ、凹曲面５３ａとＵ字溝３１、３２の曲面部によって軸支されることになる。従って、レバー４０は、回動軸４３を中心として回動自在になる（図４）。ただし、把持部３３、３４が突設ピン４４を挟持している状態では、レバー４０の回動位置はその位置で維持される。レバー４０の頭部４１の押圧面４１ａが、挿入穴２０の切り欠き部２５から挿入穴２０の内側に臨む（図４）。
【００３４】
図４に実線で示すレバー４０が、把持部３３、３４が突設ピン４４を挟持している緩め状態である。すなわち、レバー４０は、被操作部４２を操作することで回動し、締め込みまたは緩め操作が可能となっている。緩め状態から締め込み方向Ｆ（図４の反時計方向）に、回動可能な範囲まで回動させると、レバー４０は仮想線で示す締め込み状態となる。回動軸４３の軸線は挿入穴２０の軸線とは垂直であるので、レバー４０の回動方向はポール１２の軸線方向、すなわち上下方向である。これにより、ポール１２の押圧状態を適切にすることができる。
【００３５】
レバー４０は、緩め状態では、底板１５の下面より上側に全体が位置し（図４に実線で示す状態）、且つ、収容凹部３６に収まっている。しかも、把持部３３、３４で回動が規制されているので、スピーカ装置１０を単体として扱う際、特に床面に載置する際にはレバー４０がぐらつかず、また張り出すこともなく、邪魔にならない。
【００３６】
レバー４０及びサポート蓋５０が組み付けられたスピーカ装置１０をスタンド１１に取り付けるには、まず、通常、スピーカ装置１０の天地を正してスタンド１１のポール１２の先端を挿入穴２０に挿入する。ポール１２は、挿入穴２０の複数の凸部２２で形成される内径に仮嵌合されるので、レバー４０が緩んだ状態であっても挿入穴２０への挿入状態が維持される。
【００３７】
ポール１２が挿入される際、ポール１２の先端はテーパ面２４で適度に芯出しされ、底面２３に当接する。あるいは、ポール１２の直径が大きい場合は、テーパ面２４に当接したままとなる。底面２３またはテーパ面２４が、ポール１２の先端が突き当たる突き当て部となる。その後、レバー４０の被操作部４２を締め込み方向Ｆに操作して回動させる。
【００３８】
ここで、図４に示すように、レバー４０の頭部４１の押圧面４１ａは、回動軸４３の中心からの距離（外形）が角度領域θの範囲で徐々に変化するようになっている。押圧面４１ａのうち、ポール１２の軸中心Ｃの側に最もせり出した部分がポール１２の側部を押圧することになる。このせり出した部分を押圧位置Ｐとする。角度領域θの範囲では、レバー４０が締め込み方向Ｆに回動操作されるにつれて、押圧位置Ｐが軸中心Ｃに徐々に近づき、それによって押圧力が増すようになっている。
【００３９】
締め込み方向Ｆにおいてレバー４０の回動可能な範囲は角度領域θよりも広く、角度領域θを図４の反時計方向にさらに超えた領域においては、押圧面４１ａの外形は一定となっている。従って、角度領域θを超えて締め込んでも、押圧位置Ｐは変わらず、一定の押圧力でポール１２が押圧されることになる。
【００４０】
ところで、押圧面４１ａによって前方に押圧されるポール１２は、複数の凸部２２のうち主として、押圧面４１ａに対して軸中心Ｃを挟んで反対側に位置する凸部２２Ｃ〜２２Ｆ（図３）で受け止められる。ポール１２を受ける「受け部」としての機能を最も果たすのは、凹部２１ｘの両側に隣接する凸部２２Ｄ、２２Ｅである。凸部２２Ｄ、２２Ｅは、ポール１２の軸方向視においてＡ−Ａ線に沿う断面を挟んだ両側に位置し、しかも押圧面４１ａの対向位置の最も近くに位置するからである。
【００４１】
一方、挿入穴２０に挿入されたポール１２を「受け部」と協働して囲み、レバー４０が緩んだ状態においても挿入穴２０への挿入状態を維持する「仮受け部」の機能を、主として凸部２２Ａ、２２Ｈが果たす。凸部２２Ａ、２２Ｈは、軸中心Ｃ周りの円周方向において受け部よりも押圧面４１ａに近い位置に設けられるからである。仮受け部を設けたことで、装着の作業性が一層良くなる。
【００４２】
このように、ポール１２を挿入穴２０に挿入してレバー４０を下方に回動操作するだけでスピーカ装置１０のスタンド１１への取り付けが完了する。また、スピーカ装置１０を取り外すときは、レバー４０を上方に回動操作すればよい。しかも、上方に回動したレバー４０は、突設ピン４４が把持部３３、３４によって把持、乃至挟持されることでその状態が維持され、ぐらつくことがない。従って、スピーカ装置１０に対するポール着脱の作業性が向上する。
【００４３】
本実施の形態によれば、レバー４０を締め込み方向Ｆに回動操作するにつれて、ポール１２の側部を押圧する押圧位置Ｐが軸中心Ｃに徐々に近づいて押圧力が増すので、簡単な操作で締め込みが可能である。よって、スタンド１１のポール１２へのスピーカ装置１０の取り付け作業を容易にすることができる。また、レバー４０の締め込み方向Ｆの回動行程において、押圧面４１ａの位置が途中から一定となるので、締め込み終了時における押圧力を一定にし、固定状態を安定させることができる。
【００４４】
また、挿入穴２０の切り欠き部２５から押圧面４１ａが臨むと共に、挿入穴２０の内面（特に凸部２２）が受け部及び仮受け部の機能を果たすので、ポール１２への仮装着状態が安定し、取り付け作業を一層容易にすることができ、構成も簡単である。
【００４５】
また、把持部３３、３４を設けたので、レバー４０が緩め状態においてぐらつくことを防止することができる。
【００４６】
なお、挿入穴２０に挿入したポール１２を側部から押圧する観点からは、レバー４０の回動方向は上下方向に限られるものではない。
【００４７】
また、レバー４０を緩め状態でロックする機構としては、突設ピン４４と把持部３３、３４とによる機構に限定されるものではなく、例えば、レバー４０が締め込み方向Ｆへ自重で回動することを規制する係止手段であってもよい。あるいは、弱い力を発生させるコイルバネを回動軸４３に付着し、レバー４０を緩み方向に常時付勢するようにしてもよい。
【００４８】
なお、サポート蓋５０及びレバー４０は別体で構成し、底板１５において組み付けたが、これらを一体として構成した後に、底板１５に組み付けるようにしてもよい。また、回動軸４３を軸支する機構は、サポート蓋５０のような別部材を用いることなく、底板１５に設けてもよい。
【００４９】
ところで、本実施の形態では、あくまで挿入穴２０という穴形状の要素にポール１２を挿入して固定するという構成であった。しかし、ポール１２への固定作業を簡単にするという観点からは、図５に取り付け機構部Ｍの変形例を例示するように、穴という概念でない構成も考えられる。
【００５０】
図５（ａ）は、軸中心Ｃの軸線方向に見た取り付け機構部Ｍの模式図である。図５（ａ）に示すように、「受け部」として、レバー４０の押圧面４１ａに対してポール１２の軸中心Ｃを挟んで反対側に円弧状受け部２６を設ける。また、押圧面４１ａに近接して仮受け部２７、２８を設ける。円弧状受け部２６、仮受け部２７、２８はいずれも、上記した凸部２２と同様に、ポール１２の外形に対応する凹面を有する。また、底面２３またはテーパ面２４に相当する突き当て部が存在するとする。
【００５１】
ポール１２を突き当て部に突き当てると、円弧状受け部２６、仮受け部２７、２８の協働によってポール１２が囲まれ、ポール１２への仮装着状態が安定する。レバー４０を締め込むと、押圧面４１ａがポール１２を押圧し、ポール１２の押圧される側の反対側を円弧状受け部２６が受けて、固定状態となる。
【００５２】
このような観点から、「受け部」としては、押圧面４１ａに対して軸中心Ｃを挟んで反対側に設けられ、ポール１２の軸方向視において押圧面４１ａと軸中心Ｃとを通る直線Ｌ１を挟んだ両側の少なくとも２箇所で受けるものであればよい。図５（ａ）の例でいえば、円弧状受け部２６のうち第１領域２６ａと第２領域２６ｂとが該当する。ただし、第１領域２６ａ、第２領域２６ｂの全領域でなくてもよく、円弧状受け部２６の一部、例えば両端部付近の領域だけであってもよい。
【００５３】
なお、図２〜図４の例でいえば、Ａ−Ａ線に沿う断面をポール１２の軸線方向に見たときの直線が直線Ｌ１に相当する。
【００５４】
また、「仮受け部」としては、軸中心Ｃを中心とした円周方向において「受け部」よりも押圧面４１ａに近い位置に設けられ、レバー４０を緩めた状態で受け部と協働してポール１２を囲むことができる構成要素であればよい。
【００５５】
図５（ｂ）は、取り付け機構部Ｍの他の変形例の要部の斜視図である。この例では、受け部として、２本の円柱状受け部６１、６２が突設され、円柱状受け部６１、６２が三角リブ６３によって補強されている。レバー４０は支持部６４によって回動自在に支持される。ポール１２への仮装着状態の安定の効果を求めない場合、「仮受け部」を設けることは必須でない。なお、支持部６４のポール１２に対向する面の形状を工夫して仮受け部の機能を果たさせるようにしてもよい。
【００５６】
なお、スタンド１１のポール１２は円柱状であるとしたが、４角形以上の多角形の柱状であってもよい。
【００５７】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００５８】
１０  スピーカ装置（音響機器）、  １１  スタンド、  １２  ポール、  １５  底板（底部）、  ２０  挿入穴、  ２１  凹部、  ２２Ｃ〜２２Ｆ  凸部（受け部）、  ２２Ａ、２２Ｈ  凸部（仮受け部）、  ２３  底面（突き当て部）、  ２４  テーパ面（突き当て部）、  ２５  切り欠き部、  ２６  円弧状受け部（受け部）、  ２７、２８  仮受け部、  ３３、３４  把持部（維持手段）、  ４０  レバー（押圧手段）、  ４１ａ  押圧面、  ４２  被操作部、  ４３  回動軸、  ６１、６２  円柱状受け部（受け部）、
Ｃ  軸中心、  Ｌ１  直線
【図１】
0005569540.tif 000002
【図２】
0005569540.tif 000003
【図３】
0005569540.tif 000004
【図４】
0005569540.tif 000005
【図５】
0005569540.tif 000006